(57)【要約】【課題】耳介に対し安定した状態でしかも良好な装着感をもってイヤホン装置の装着を行う。【解決手段】音響管２と耳介装着体５３とを備えるイヤホン装置において、音響管２は、一端部に耳介挿入部５が形成され、耳介装着体５３は、耳介挿入部５の外周に対して嵌合し得る筒状の取付け部５４と、取付け部５４の基端部側に形成される耳介挿入規制部５２とを有する。【選択図】図１５
2008029040.tif 000002
【特許請求の範囲】
【請求項１】
音響管と耳介装着体とを備えるイヤホン装置において、
上記音響管は、一端部に耳介挿入部が形成され、
上記耳介装着体は、上記耳介挿入部の外周に対して嵌合し得る筒状の取付け部と、
上記取付け部の基端部側に形成される耳介挿入規制部と
を有することを特徴とするイヤホン装置。
【請求項２】
上記耳介挿入規制部は、側方に向かって突設される係合突部を有することを特徴とする請求項１に記載のイヤホン装置。
【請求項３】
上記取付け部から上記耳介挿入規制部に亘って嵌合孔が形成され、
上記耳介挿入部の外周面の所定の場所に、第１の段差が設けられ
上記嵌合孔の内周面の所定の場所に、第２の段差が設けられ、
上記耳介挿入部の外周面の第１の段差は、上記嵌合孔の内周面の第２の段差と係合することを特徴とする請求項１に記載のイヤホン装置。
【請求項４】
上記取付け部から上記耳介挿入規制部に亘って嵌合孔が形成され、
上記耳介挿入部の外周面の所定の場所に、係合突起が設けられ
上記嵌合孔の内周面の所定の場所に、係合溝が設けられ、
上記耳介挿入部の外周面の係合突起は、上記嵌合孔の内周面の係合溝と係合することを特徴とする請求項１に記載のイヤホン装置。
【請求項５】
上記耳介装着体は、弾性を有する材質の材料により形成されることを特徴とする請求項１に記載のイヤホン装置。
【請求項６】
上記取付け部と上記耳介挿入規制部とは、一体形成されていることを特徴とする請求項１に記載のイヤホン装置。
【請求項７】
イヤホン装置の音響管の一端部に形成される耳介挿入部の外周に対して嵌合し得る筒状の取付け部と、
上記取付け部の基端部側に形成される耳介挿入規制部と
を有することを特徴とする耳介装着体。
【請求項８】
上記耳介挿入規制部は、側方に向かって突設される係合突部を有することを特徴とする請求項７に記載の耳介装着体。
【請求項９】
上記取付け部から上記耳介挿入規制部に亘って嵌合孔が形成され、
上記嵌合孔の内周面の所定の場所に、第２の段差が設けられ、
上記嵌合孔の内周面の第２の段差は、上記耳介挿入部の外周面に設けられる第１の段差と係合することを特徴とする請求項７に記載の耳介装着体。
【請求項１０】
上記取付け部から上記耳介挿入規制部に亘って嵌合孔が形成され、
上記嵌合孔の内周面の所定の場所に、係合溝が設けられ、
上記嵌合孔の内周面の係合溝は、上記耳介挿入部の外周面に設けられる係合突起と係合することを特徴とする請求項７に記載の耳介装着体。
【請求項１１】
上記耳介装着体は、弾性を有する材質の材料により形成されることを特徴とする請求項７に記載の耳介装着体。
【請求項１２】
上記取付け部と上記耳介挿入規制部とは、一体形成されていることを特徴とする請求項７に記載の耳介装着体。
【発明の詳細な説明】
【技術分野】
【０００１】
本発明は、本発明は、耳介に装着される音響管にスピーカユニットから再生音を放射し、この音響管を介してスピーカユニットから放射される再生音の聴取を行うようにしたイヤホン装置の音響管に取り付けられる耳介装着体及びこの耳介装着体を取り付けたイヤホン装置に関する。
【背景技術】
【０００２】
従来、頭部や耳介に装着され、スピーカユニットから放射される再生音を直接耳道内に放射して聴取するようにしたヘッドホン装置やイヤホン装置が用いられている。
【０００３】
この種のヘッドホン装置やイヤホン装置は、スピーカユニットの振動板を耳道内の鼓膜に対向させて頭部や耳介に装着されるものであるので、耳道内に放射されたスピーカユニットからの再生音が鼓膜によって反射され、スピーカユニット側に入射される。そして、鼓膜によって反射された反射音とスピーカユニットから放射される再生音が互いに干渉し合う等して影響し合うことにより、聴取される再生音の音質等の再生特性を劣化させてしまう。
【０００４】
このような鼓膜によって反射される反射音の影響をなくし、良好な再生特性をもってスピーカユニットから放音される再生音の聴取を可能となす音響再生装置が提案されている。この音響再生装置は、一端部を耳道に挿入される音響管の中途部にスピーカユニットを取り付け、スピーカユニットから放射される再生音を音響管内に入射させ、この音響管を介して再生音の聴取を行うようにしたものである。このように構成された音響再生装置は、鼓膜から反射される反射音が、音響管に入射されることによって減衰されてなる。従って、鼓膜から反射される反射音によるスピーカユニットから放射される再生音に対する影響を抑制し、再生音に歪み等を発生させることなく明瞭な音質を有し良好な再生特性をもって再生音の聴取が可能となる。
【０００５】
【特許文献１】特開平５−３０５０８１号公報
【発明の開示】
【発明が解決しようとする課題】
【０００６】
ところで、音響管を備えた音響再生装置において、鼓膜から反射される反射音の影響をなくすためには、反射音を音響管内で確実に減衰させる必要がある。鼓膜からの反射音の確実な減衰を図るためには、音響管は、一定の長さを必要とする。このような一定の長さを有する音響管を真っすぐに延びたままの状態で耳介に装着することは極めて困難である。すなわち、音響管が耳介から大きく突出してしまい、安定して耳介に装着することができない。
【０００７】
また、鼓膜から反射される反射音を音響管の耳道への挿入端で反射されることなく音響管内に導くためには、音響管の内径を耳道の径と略等しくする必要がある。このように、内径を耳道の径と略等しくした音響管を合成樹脂により形成した場合、内径が４ｍｍ程度であって、外径が略６ｍｍ程度に形成される。このように、装着される耳介に比し比較的太い音響管を耳介から突出した状態で装着するように構成した音響再生装置にあっては、装置自体が極めて大型化してしまう。
【０００８】
そこで、本発明は、耳介から大きく突出させることなく、耳介に安定して装着することを可能となす音響管を備えたイヤホン装置に用いられる耳介装着体及びこの耳介装着体を用いたイヤホン装置を提供すること技術課題とする。
【０００９】
また、本発明は、イヤホン装置を良好な装着感をもって装着可能となす耳介装着体及びこの耳介装着体を用いたイヤホン装置を提供することを技術課題とする。
【００１０】
さらに、本発明は、外部環境からの雑音の影響を受けることなく、イヤホン装置に用いられるスピーカユニットからの再生音を良好な再生特性をもって聴取することを可能となす耳介装着体及びこの耳介装着体を用いたイヤホン装置を提供することを技術課題とする。
【課題を解決するための手段】
【００１１】
上述したような技術課題を達成するための提案される本発明に係るイヤホン装置は、音響管と耳介装着体とを備えるイヤホン装置において、上記音響管は、一端部に耳介挿入部が形成され、上記耳介装着体は、上記耳介挿入部の外周に対して嵌合し得る筒状の取付け部と、上記取付け部の基端部側に形成される耳介挿入規制部とを有する。
【００１２】
また、本発明に係る耳介装着体は、イヤホン装置の音響管の一端部に形成される耳介挿入部の外周に対して嵌合し得る筒状の取付け部と、上記取付け部の基端部側に形成される耳介挿入規制部とを有する。
【発明の効果】
【００１３】
本発明に係る耳介装着体及びこの耳介装着体を用いたイヤホン装置は、耳介挿入部の外周に対して嵌合し得る筒状の取付け部の基端部側に形成される耳介挿入規制部が設けられているので、耳介装着体が、耳道に嵌合するようにして装着された際に、良好な装着感を持って装着でき、耳介に対し、安定した装着状態を得ることができる。
【発明を実施するための最良の形態】
【００１４】
以下、本発明に係る耳介装着体及びこの耳介装着体を用いるイヤホン装置の具体的な実施の形態を図面を参照して説明する。
【００１５】
本発明に係る耳介装着体が用いられるイヤホン装置の一例を図１乃至図４を参照して説明する。このイヤホン装置は、光ディスクプレーヤ等の音声信号源から入力される音声信号を再生するスピーカユニット１と、このスピーカユニット１から放射される再生音を耳介の耳道に導く音響管２と、外部環境の音を集音するマイクロホンユニット３と、スピーカユニット１及びマイクロホンユニット３を収納するハウジング４とを備えている。
【００１６】
スピーカユニット１から放射される再生音を耳介ａの耳道ｂに導く音響管２は、図３及び図４に示すように、装着時に耳介ａ内に挿入され先端部側を耳道ｂに臨まされる耳介挿入部５を一端側に有し、この耳介挿入部５に対し折り曲げ部６を介して連設され耳介ａの外表面に沿って耳介ａの下方に向かって延在する管本体７を備えている。
【００１７】
そして、音響管２の一端部に構成される耳介挿入部５は、先端部側を耳道ｂに臨ませて耳介ａに装着したとき、管本体７が連設される折り曲げ部６が耳介ａの表面に臨むに足る長さに形成される。また、管本体７は、耳介挿入部５に対し略９０度若しくは９０度より稍々小さい鋭角な角度を有する折り曲げ部６を介して連設されている。この管本体７の耳介挿入部５が連設される側と対向する他端部８側は、折り曲げ部６側に向かって立ち上がるようにＵ字状に折り曲げられている。なお、他端部８側は、耳介挿入部５の突出方向と逆方向に折り曲げられている。このように、耳介ａの外部に延在する管本体７をＵ字状に折り曲げることにより、音響管２の長さを十分に大きくしながら占有面積を小さくすることができる。
【００１８】
また、装着時に耳介ａ内に挿入され、耳道ｂの入り口に先端部を臨ませる耳介挿入部５の先端部５ａ側は、図５に示すように、管本体７の軸方向Ｏに直交する平面Ｓ１に対し略１０度の傾斜角θ１をもって上方に向かって傾斜させるとともに、図６に示すように、管本体７の軸方向Ｏに平行な面Ｓ２に対し略１０度の傾斜角θ２をもって水平方向に傾斜して形成されている。このように耳介挿入部５の先端部５ａを管本体７に対し傾斜させることにより、耳介ａの表面に沿って管本体７を延在させながら、耳介ａの表面に対し傾斜して頭部の内部に延長する耳道ｂに平行に挿入させることができる。
【００１９】
音響管２は、耳介挿入部５の先端部を耳道ｂの入り口に臨ませて耳介に装着されたとき、鼓膜から反射させる反射音が耳介挿入部５の先端部等によって反射されることなく入射されるようになすため、図５に示すように、標準的な人の耳道ｂの径ｒ１に略等しい内径ｒ２を有するように形成されている。なお、音響管２の外径ｒ３は、略６ｍｍとして形成されている。これは、合成樹脂を成形して形成される音響管２の機械的な強度を保証するに足る肉厚をもって形成するためである。
【００２０】
音響管２に設けられる耳介挿入部５の先端部には、図１及び図２に示すように、耳介ａへの装着時に、耳道ｂの入り口に嵌合し、耳道ｂを塞ぐとともに音響管２の耳介ａへの安定した装着を実現するゴム等の弾性を有する材料によって形成された耳介装着体１０が取り付けられている。
【００２１】
耳介装着体１０は、図７に示すように、耳介挿入部５の先端部の外周側に嵌合する筒状の取付け部１１と、この取付け部１１の外周側に形成された耳道嵌合体１２とを備えている。この耳道嵌合体１２は、取付け部１１の先端部に一端部を連結し、取付け部１１の基端部側に向かって折り曲げるようにして湾曲され、外方に向かって膨出するように形成されて取付け部１１の外周側に形成されている。すなわち、取付け部１１の先端部から折り返されるようにして形成された折返し部としての耳道嵌合体１２は、耳道ｂへの挿入側となる一端部を取付け部１１への連結部となし、開口部とされた他端側を自由端として取付け部１１の外周側を覆うようにして略球状に膨出するようにして取付け部１１と一体に形成されている。耳道嵌合体１２は、一端部を取付け部１１への連結部となし、他端側を自由端としてゴム等の弾性を有する材料により形成されてなるので、取付け部１１への連結部を挿入端として耳道ｂに嵌合したとき、耳道ｂに倣って容易に弾性変形して耳道ｂに嵌合される。
【００２２】
したがって、耳介装着体１０は、取付け部１１の先端部に折り曲げ部を介して連続し、漸次膨出する略球状をなす径大部と、この径大部に連なって漸次先細りとなり、先端に開口部を有する径小部からなる折返し部としての耳道嵌合体１２を備える。
【００２３】
そして、取付け部１１の内周面には、耳介挿入部５の外周面に突設した係合突起１３が相対係合する係合溝１４が設けられている。耳介装着体１０は、係合溝１４を係合突起１３に相対係合させて取付け部１１を耳介挿入部５に嵌合することにより、耳介挿入部５に対する取付け位置の位置決めが図られ、耳介挿入部５からの抜け止めが図られて取り付けられる。
【００２４】
ところで、耳道嵌合体１２は、耳道ｂに嵌合されたときに、耳道ｂを密閉し得るように耳道ｂに倣って容易に弾性変形することが望ましい。一方、耳介装着体１０の取付け部１１は、耳介装着体１０を耳介挿入部５に確実に支持させるためのものであるので、大きな弾性力を有するように形成することが望ましい。そこで、耳道嵌合体１２は、容易に弾性変形し得る薄肉に形成されるのに対し、取付け部１１は、十分な嵌合保持力を有するように耳道嵌合体１２に比し肉厚に形成されてなる。
【００２５】
また、耳介装着体１０の耳道嵌合体１２と取付け部１１とは、それぞれの機能を十分に発揮し得るように異なる材料を用いて一体に形成してもよい。例えば、耳道嵌合体１２を容易に弾性変形し得るシリコーンゴムにより形成し、取付け部１１を大きな弾性力を有するゴム等の弾性材料により形成する。
【００２６】
また、音響管２の折り曲げ部６の近傍には、図３に示すように、スピーカユニット１から放射される再生音を入射させるための再生音入射孔１５が穿設さている。スピーカユニット１は、再生音入射孔１５の一側縁から突設されたスピーカ取付け片１６を介して取り付けられる。
【００２７】
このスピーカ取付け片１６を介して取り付けられるスピーカユニット１は、振動板とこの振動板を駆動する磁気回路部とからなる動電型のスピーカ１７をカプセル１８に収納して構成されている。このカプセル１８の前面側は、図４に示すように、スピーカ１７を構成する円弧状に膨出する振動板に対応して均一に湾曲して膨出する湾曲面１８ａとなされている。また、カプセル１８の前面には、スピーカ１７から放射される再生音を外部に放射させるための複数の放音孔１９が穿設されている。さらに、カプセル１８の背面側にも、スピーカ１７から放射される再生音を外部に放射させるための複数の放音孔２０が穿設されている。
【００２８】
上述のように構成されたスピーカユニット１が取り付けられるスピーカ取付け片１６は、図３及び図４に示すように、耳介挿入部５の延長方向と略平行に折り曲げ部６の近傍から突設されている。このスピーカ取付け片１６は、スピーカユニット１の外形形状に対応する大きさの円盤状に形成され、中央部にカプセル１８の前面側の湾曲面１８ａに対応する凹湾状をなすスピーカユニット取付け部２２が形成されている。このスピーカユニット取付け部２２の音響管２への連結部側には、再生音入射孔１５に連通する連通部２３が切欠き形成されている。そして、スピーカユニット１は、カプセル１８の湾曲面１８ａをスピーカユニット取付け部２２に嵌合するようしてスピーカ取付け片１６上に配設される。スピーカ取付け片１６上に配設されたスピーカユニット１は、接着剤や両面接着テープ介して湾曲面１８ａをスピーカ取付け片１６に接合されて取り付けられる。このように、スピーカユニット１は、カプセル１８の前面側の湾曲面１８ａをスピーカユニット取付け部２２に接合させて取り付けられてなるので、取付け片１６に対する強固な取付けが保証される。
【００２９】
上述のようにスピーカ取付け片１６に取り付けられたスピーカユニット１は、図９に示すように、カプセル１８の前面側に形成された複数の放音孔１９の一部、例えば２つの放音孔１９が連通部２３に対向する。そして、スピーカから放射される再生音は、連通部２
３に対向する放音孔１９及び連通部２３を介して音響管２に入射される。
【００３０】
また、音響管２のＵ字状に折り曲げられた他端部８側には、図５に示すように、鼓膜に反射されて音響管２内に入射された反射音を吸音する吸音材２５が配設され、他端部８は、音の無反射端となされている。この吸音材２５は、多孔質の発泡ウレタンを成形して形成されてなるものであって、先端先細り状の略円錐状に形成されている。そして、吸音材２５は、先端先細りの先端側を挿入端として音響管２内に挿入され、他端部８に嵌合配設れる。なお、吸音材２５は、配設位置を固定するため、必要に応じて接着剤により音響管２内に接合される。
【００３１】
そして、音響管２の他端部８には、外部環境の音を集音するマイクロホンユニット３がマイクロホン支持部材２６を介して取り付けられる。ここに用いられるマイクロホンユニット３は、円筒状をなすマイクカプセル２７内にマイクロホン素子を収納して構成されている。マイクカプセル２７のマイクロホン素子の振動板が対向する集音面側には、図３に示すように、複数の集音孔２８が穿設されている。外部環境の音は、集音孔２８を介してマイクカプセル２７に入射され、マイクロホン素子によって集音される。
【００３２】
マイクロホンユニット３を音響管２の他端部８に取り付けるマイクロホン支持部材２６は、音響管２の他端部８に嵌合される嵌合突部２９と、この嵌合突部２９の先端に一体に形成された円弧状をなすマイクロホン保持部３０とから構成されている。マイクロホンユニット３は、円筒状をなすマイクカプセル２７をマイクロホン保持部３０に嵌合させることによってマイクロホン支持部材２６に保持される。このマイクロホン支持部材２６は、嵌合突部２９を音響管２の他端部８に嵌合させることによって、マイクロホンユニット３を音響管２に取り付けられる。
【００３３】
ところで、マイクロホンユニット３は、図８に示すように、取付け片１６を介して音響管２に支持されるスピーカユニット１と向きを逆にして音響管２に取り付けられる。すなわち、マイクロホンユニット３の集音面とスピーカユニット１の放音面が相反する方向に向くように配設する。このようにマイクロホンユニット３とスピーカユニット１の向きを逆にすることにより、スピーカユニット１から放射される再生音のマイクロホンユニット３への入射が抑えられ、スピーカユニット１によって再生される再生音の共振の発生を防止することができる。
【００３４】
なお、マイクロホンユニット３とスピーカユニット１とは、スピーカユニット１から放射される再生音のマイクロホンユニット３への入射が抑える向きに配設されればよく、集音面と放音面が互いに直交するように配設してもよい。
【００３５】
ところで、音響管２の他端部８にはマイクロホン支持部材２６が嵌合されるため、音響管２の終端が閉塞されてしまう。そのため、音響管２の他端部８側に放射された音を音響管２の外部に放射することができない。そこで、音響管２の他端部８側の側面には、音響管２の他端部８側に伝達される音を外部に放射させる抜き孔３１が穿設されている。この抜き孔３１は、抜き孔３１を介して放射される音がマイクロホンユニット３に入射されにくいようになすため、図２及び図４に示すように、マイクロホンユニット３の集音面が臨む面とは反対側に位置する音響管２の他端部８側の側面に形成される。このような位置に抜き孔３１を形成することにより、耳介に装着されたイヤホン装置を手で覆ったような場合であっても、開放された状態に維持され、抜き孔３１を介して放射される音がマイクロホンユニット３によって集音されにくくなり、スピーカユニット１によって再生される再生音の共振を防止することができる。
【００３６】
上述のように音響管２に取り付けられたスピーカユニット１及びマイクロホンユニット３は、折り曲げ部６を含む音響管２の中途部を内包するように覆って配設されるイヤホン本体を構成するハウジング４内に収納される。このハウジング４は、図３及び図４に示すように、合成樹脂をモールド成形して形成された一対の前面側ハーフ３２と背面側ハーフ３３とから構成されてなる。
【００３７】
ハウジング４を構成する前面側ハーフ３２及び背面側ハーフ３３の相対向する突き合わせ面側には、図３及び図４に示すように、音響管２が嵌合する嵌合凹部３４，３５が形成れている。そして、前面側ハーフ３２には、スピーカ取付け片１６に取り付けられたスピーカユニット１の背面側に突出する磁気回路部１ａ側を収納するスピーカ収納凹部３６と、マイクロホンユニット３の集音面側を収納するマイクロホン収納凹部３７が膨出形成されている。このマイクロホン収納凹部３７には、外部環境の音を入射させるための複数の微小な入射孔３８が穿設されている。また、背面側ハーフ３３には、スピーカユニット
１及びマイクロホンユニット３から引き出された外部接続コード３９を保持し、この外部接続コード３０の引き出し方向を位置決めするコード保持部４１が設けられている。コード保持部４１は、端部にコード挿通部４２を形成して背面側ハーフ３３の側面から膨出す
ように形成されている。そして、外部接続コード３９は、コード保持部４１の端部に形成
されたコード挿通部４２に挿通されてハウジング４の外部に延長される。
【００３８】
なお、外部接続コード３９のコード挿通部４２からの引き出し部分には、可撓性を有するゴム等によって形成されたブッシング４３が嵌合されている。このブッシング４３は、外部接続コード３９のコード挿通部４２からの引き出し部分での大きな屈曲を防止し、断線を防止するためのものである。
【００３９】
また、スピーカユニット１から引き出される外部接続コード３９は、スピーカユニット１への音声信号の入力ラインとなり、マイクロホンユニット３から引き出される外部接続コード３９は、マイクロホンユニット３によって集音された音声信号の出力ラインとなる。
【００４０】
なお、コード保持部４１は、背面側ハーフ３３とは別体に形成し、背面側ハーフ３３の側面に一体的に取り付けるようにしたものであってもよい。この場合、背面側ハーフ３３には、コード保持部４１に設けられたコード挿通部４２に連通するコード引き出し孔が設けられる。このようにコード保持部４１を背面側ハーフ３３とは別体に形成することにより、コード保持部４１を剛性を有する合成樹脂材料で形成される背面側ハーフ３３とは異なる材料で形成することができる。このコード保持部４１は、耳介への装着時に、耳介の一部に接触したような場合であっても良好な装着感を得るようになすため、柔軟性を有するゴム等により形成することができる。
【００４１】
また、ハウジング４を構成する前面側ハーフ３２及び背面側ハーフ３３には、音響管２の一端部側に構成された耳介挿入部５の基端部側に嵌合する挿入規制部半体４４，４５が形成されている。これら挿入規制部半体４４，４５は、互いに突き合わせ結合されたとき、音響管２より大径をなす耳介挿入規制部４６を構成する。
【００４２】
上述のように構成された前面側ハーフ３２と背面側ハーフ３３を、音響管２を挟んで相対向して配置し、これらハーフ３２，３３に設けた嵌合凹部３４，３５に音響管２の中途部を嵌合させて互いに突き合わせ面３２ａ，３３ａを突き合わせ結合させると、図１及び図２に示すように、音響管２の中途部を覆うようにして一体化されたハウジング４が構成される。このとき、ハウジング４の上端側の一側面から、音響管２の一端部に構成される耳介挿入部５が突出し、ハウジング４の下端側からＵ字状に湾曲された他端部８を含む管本体７が突出された状態となる。また、ハウジング４内には、図８に示すように、スピーカユニット１が前面側ハーフ３２に設けたスピーカ収納凹部３６に嵌合され、マイクロホンユニット２がマイクロホン収納凹部３７に嵌合されて収納される。さらに、前面側ハーフ３２と背面側ハーフ３３を突き合わせ結合してハウジング４を構成すると、ハウジング４の上端側の一側面から突出した耳介挿入部５の基端部側に音響管２より大径をなす耳介挿入規制部４６が形成される。
【００４３】
ところで、ハウジング４内に収納配置されたマイクロホンユニット３の集音面３ａとマイクロホン収納凹部３７の底面との間には間隙が設けられ、この間隙を介して、図８に示すように、マイクロホン収納凹部３７に穿設された入射孔３８を介して集音される際に発生する風切り音を防止する不織布等からなるエアスクリーン４５が配設される。また、マイクロホンユニット３とハウジング４との間には、図示はしないが、発泡ウレタンやフェルト等からなる吸音材が配設される。この吸音材は、ハウジング４を介してマイクロホンユニット３に伝達される振動を吸収する。このように吸音材を設けることにより、マイクロホンユニット３は、ノイズを集音することなく外部環境音の集音を可能となす。
【００４４】
上述のように構成されたイヤホン装置は、図１０に示すように、音響管２の一端側に設けた耳介挿入部５の先端部に取り付けた耳介装着体１０を耳道ｂに嵌合させ、音響管２の管本体７を耳介ａの表面に沿って垂下するように装着される。このとき、耳介装着体１０の耳道嵌合体１２が弾性変形しながら、図１１に示すように、耳道ｂに嵌合する。耳道嵌合体１２は、容易に弾性変形するゴム等により形成されているので、耳道ｂの形状に倣って変形して耳道ｂを密閉する。このように、イヤホン装置を装着したとき、耳道ｂが耳介装着体１０の耳道嵌合体１２によって密閉されるので、イヤホン装置から放射される再生音以外の外部環境の音を入射が抑制させる。
【００４５】
また、イヤホン装置を耳介ａに装着したとき、マイクロホンユニット３の集音面が、図１０に示すように、耳介ａに対し外側に向かうので、外部環境の音を能率よく集音することができる。さらに、イヤホン装置を耳介ａに装着したとき、コード保持部４１が、図１０に示すように、耳介ａに対向するハウジング４の背面側に位置するので、外部接続コード３９は耳介ａとハウジング４との間の空間から引き出される。そのため、外部接続コード３９をイヤホン装置から突出させることなく耳介ａの下方に引き出すことができる。そして、コード保持部４１を長尺とすることにより、外部接続コード３９を耳介ａに接触させることなく耳介ａの下方に引き出せるので、安定した装着状態が得られる。
【００４６】
さらにまた、イヤホン装置を耳介ａに装着したとき、図１１に示すように、耳介挿入部５の基端部側に音響管２より大径に形成された耳介挿入規制部４６の先端面４６ａが耳介ａの耳甲介腔ｃの底部に当接する。従って、剛性を有する耳介挿入部５が耳道ｂに過度に挿入されることが規制され、安全に装着することができる。
【００４７】
上述したイヤホン装置は、耳道ｂを密閉する耳道嵌合体１２を備えた耳介装着体１０と、耳介挿入部５の耳道ｂへの挿入を規制する耳介挿入規制部４６をハウジング４と一体に形成し、耳介装着体１０と耳介挿入規制部４６を独立の部材として形成しているが、耳介装着体１０と耳介挿入規制部４６とを一体に形成するようにしてよい。この場合、ハウジング４側に形成される耳介挿入規制部４６は、取り除かれる。
【００４８】
以下、耳介嵌合体１２と耳介挿入規制部４６を一体に形成した実施の態様を図面を参照して説明する。
【００４９】
以下の説明においては、前述した実施例と共通する部材については、共通の指示符号を付して詳細な説明は省略する。
【００５０】
ここに示すイヤホン装置は、耳道ｂに少なくとも一部が嵌合して耳道ｂを密閉する耳介嵌合体５１と耳介挿入規制部５２を一体に形成した耳介装着体５３を、図１２及び図１３に示すように、音響管２の一端側に構成した耳介挿入部５の先端側に取り付けたものである。
【００５１】
ここに用いられる耳介装着体５３は、図１４に示すように、耳介挿入部５の先端部の外周側に嵌合する筒状の取付け部５４と、この取付け部５４の外周側に形成された耳道嵌合体５１と、取付け部５４の基端側に形成された耳介挿入規制部５２とをゴム等の弾性を有する材料を成形して一体に形成したものである。
【００５２】
耳道嵌合体５２は、取付け部５４の先端部側に一端部を連結し、取付け部５４の基端部側に向かって湾曲して膨出するように形成されて取付け部５４の外周側に形成されている。すなわち、耳道嵌合体５２は、耳道ｂへの挿入側となる一端部を取付け部５４への連結部となし、他端側を自由端として取付け部５４の外周側を覆うようにして略球状に膨出するようにして取付け部５４と一体に形成されている。
【００５３】
耳介装着体５３及びこの耳介装着体５３が取り付けられた耳介挿入部５の耳道ｂに対する挿入位置を規制する耳介挿入規制部５２は、音響管２の外径より大径であって、少なくとも耳道ｂに挿入し得ない大きさをもって、取付け部５４の基端部側に膨出するように形成されている。この耳介挿入規制部５２は、イヤホン装置を耳介ａに装着したとき、耳甲介腔ｃに係止されるように嵌合される形状に形成されてなるものであって、図１２及び図１３に示すように、側方に向かって耳甲介腔ｃ内の一部に係合する係合突部５５が突設されている。
【００５４】
そして、取付け部５４から耳介挿入規制部５２に亘って形成された嵌合孔５６の内周面には、耳介挿入部５の外周面に突設した係合突起５７，５８が相対係合する係合溝５９，６０が設けられている。耳介装着体５３は、嵌合孔５６を介して耳介挿入部５に嵌合させることによって、耳介挿入部５の外周側に取り付けられる。このとき、嵌合孔５６の内周面に設けた係合溝５９，６０が、図１４に示すように、耳介挿入部５の外周面に突設した係合突起５７，５８に相対係合されることにより、耳介挿入部５に対する取付け位置の位置決めが図られ、耳介挿入部５からの抜け止めが図られて取り付けられる。
【００５５】
なお、取付け部５４の先端部には、図１４に示すように、耳介挿入部５の先端面を覆うリング状のフランジ部６１が形成されている。このフランジ部６１は、耳介ａに装着したとき、剛性を有する取付け部５４の先端部が耳道ｂに直接当接することを防止し、量感な装着感を得るようになすものである。
【００５６】
ところで、耳道嵌合体５１は、耳道ｂに嵌合したとき、耳道ｂを密閉し得るように、耳道ｂに倣って容易に弾性変形し得るように形成されることが望ましい。一方、耳介装着体５３の取付け部５４は、耳介装着体５３を耳介挿入部５に確実に支持させるためのものであるので、大きな弾性力を有するように形成されることが望ましい。また、耳介挿入規制部５２は、耳甲介腔ｃに嵌合して耳道嵌合体５１及び耳介挿入部５の耳道ｂに対する挿入位置を規制するものにであるので、容易に弾性変形しないように形成されることが望ましい。
【００５７】
そこで、耳道嵌合体５１は、容易に弾性変形し得るように薄肉に形成されのに対し、取付け部５４は、十分な嵌合保持力を有するように耳道嵌合体５１に比し肉厚に形成されてなる。また、耳介挿入規制部５２も、容易に弾性変形しないように肉厚に形成されてなる。
【００５８】
また、耳介装着体５３の耳道嵌合体５１、取付け部５４及び耳介挿入規制部５２は、それぞれの機能を十分に発揮し得るように異なる材料を用いて一体に形成してもよい。例えば、耳道嵌合体５１を容易に弾性変形し得るシリコーンゴムにより形成し、取付け部１１及び耳介挿入規制部５２を大きな弾性力を有するゴム等の弾性材料により形成する。
【００５９】
上述のように構成された耳介装着体５３を音響管２の一端側に設けた耳介挿入部５の先端部に取り付けたイヤホン装置は、図１５に示すように、耳介装着体５３を耳道ｂに嵌合させるとともに、係合突部５５を耳甲介腔ｃの一部に係止させて耳介挿入規制部５２を耳甲介腔ｃに嵌合させ、音響管２の管本体７を耳介ａの表面に沿って垂下するようにして装着される。このとき、耳介装着体５３の耳道嵌合体１２が、図１５に示すように、弾性変形しながら耳道ｂに嵌合して耳道ｂを密閉する。このとき、耳介挿入規制部５２に設けた係合突部５５が耳甲介腔ｃの一部に係止されてなるので、耳道嵌合体５１及び耳介挿入部５の耳道ｂに対する挿入量を規制する。従って、耳道嵌合体５１や剛性を有する耳介挿入部５が耳道ｂに過度に挿入されることが規制され、安全に装着することを可能となす。
【００６０】
上述したイヤホン装置は、スピーカユニット１とともにマイクロホンユニット３を備え、イヤホン装置の外部から入射される雑音を減少させて、スピーカユニット１から放射される再生音の歪み等を抑え、良好な再生特性をもって聴取することを可能となすいわゆるノイズ低減型のイヤホン装置に適用した例を挙げて説明したが、スピーカユニット１とこのスピーカユニット１から放射される再生音を耳介に入射させる無反射型の音響管２を備えたイヤホン装置にもそのまま適用できるものである。
【図面の簡単な説明】
【００６１】
【図１】本発明に係るイヤホン装置をマイクロホンユニットの放音面が臨む面から見た斜視図である。
【図２】上記イヤホン装置をコード保持部側から見た斜視図である。
【図３】上記イヤホン装置をマイクロホンユニットの放音面が臨む面から見た分解斜視図である。
【図４】上記イヤホン装置をコード保持部側からから見た分解斜視図である。
【図５】耳介挿入部の傾斜状態を示す正面図である。
【図６】耳介挿入部の傾斜状態を示すの平面図である。
【図７】耳介挿入部に耳介装着体を取り付けた状態を一部を破断して示す正面図である。
【図８】スピーカユニット及びマイクロホンユニットをハウジング内に取り付けた状態を示す縦断面図である。
【図９】スピーカユニットのスピーカ取付け片への取付け状態を示す断面図である。
【図１０】本発明に係るイヤホン装置を耳介に装着した状態を示す斜視図である。
【図１１】耳介装着体を耳道内に嵌合させた状態を一部を破断して示す背面図である。
【図１２】本発明に係るイヤホン装置の他の例をマイクロホンユニットの放音面が臨む面から見た斜視図である。
【図１３】上記イヤホン装置の他の例をコード保持部側から見た斜視図である。
【図１４】上記イヤホン装置に取り付けられる一体型の耳介装着体を示す断面図である。
【図１５】上記イヤホン装置を耳介に装着した状態を一部を破断して示す背面図である。
【符号の説明】
【００６２】
１  スピーカユニット、  ２  音響管、  ４  ハウジング、  ５  耳介挿入部、  １０  耳介装着体、  １２  耳道嵌合体、  ５１  耳介嵌合体、  ５１  耳道嵌合体、  ５２  耳介挿入規制部、  ５３  耳介装着体
【図１】
2008029040.tif 000003
【図２】
2008029040.tif 000004
【図３】
2008029040.tif 000005
【図４】
2008029040.tif 000006
【図５】
2008029040.tif 000007
【図６】
2008029040.tif 000008
【図７】
2008029040.tif 000009
【図８】
2008029040.tif 000010
【図９】
2008029040.tif 000011
【図１０】
2008029040.tif 000012
【図１１】
2008029040.tif 000013
【図１２】
2008029040.tif 000014
【図１３】
2008029040.tif 000015
【図１４】
2008029040.tif 000016
【図１５】
2008029040.tif 000017